(57)【要約】 【課題】画像形成装置を利用する際に、ユーザが利用を望む機能に関する操作画面の情報を適切に取り出し、自動的にその画面に遷移することが可能な画像形成装置等の提供。【解決手段】実施形態に係る画像形成装置は、ユーザの名前と、該ユーザの複数の部位のうちの何れかを特定する特定情報との組み合わせごとに、生体情報を対応付けた第１の情報を参照して、読取装置により読み取られた生体情報と一致する生体情報に対応付けられたユーザの名前と特定情報との組み合わせを取得する。ユーザの名前と特定情報との組み合わせごとに、ログイン時におけるオペレーションパネルの初期画面をどの操作画面に遷移させるかを示す遷移先情報を対応付けた第２の情報を参照して、第１の管理部により取得されたユーザの名前と特定情報との組み合わせに対応付けられた遷移先情報を取得する。取得された遷移先情報に基づいて、オペレーションパネルを制御する。【選択図】図４
2020205503.tif 000002
【特許請求の範囲】
【請求項１】
ユーザの名前と、該ユーザの複数の部位のうちの何れかを特定する特定情報との組み合わせごとに、生体情報を対応付けた第１の情報を参照して、読取装置により読み取られた前記生体情報と一致する前記生体情報に対応付けられた前記ユーザの名前と前記特定情報との組み合わせを取得する第１の管理部と、
前記ユーザの名前と前記特定情報との組み合わせごとに、ログイン時におけるオペレーションパネルの初期画面をどの操作画面に遷移させるかを示す遷移先情報を対応付けた第２の情報を参照して、前記第１の管理部により取得された前記ユーザの名前と前記特定情報との組み合わせに対応付けられた前記遷移先情報を取得する第２の管理部と、
前記第２の管理部により取得された前記遷移先情報に基づいて、前記オペレーションパネルを制御する制御部と、
を具備する画像形成装置。
【請求項２】
前記特定情報は、前記ユーザの手または足の複数の指のうちの何れかを特定する情報であり、
前記生体情報は、前記ユーザの手または足の複数の指のうちの何れかの指紋である、
請求項１に記載の画像形成装置。
【請求項３】
前記第２の管理部は、前記ユーザの名前と前記特定情報との組み合わせ毎に、前記遷移先情報とデータ配信の宛先情報とを関連付けた第３の情報を参照して、取得した前記ユーザの名前及び取得した前記特定情報に基づいて、前記遷移先情報及び前記データ配信の宛先情報を取得し、
前記制御部は、取得した前記遷移先情報と、取得した前記宛先情報とに基づいて、前記オペレーションパネルを制御する、
請求項１又は２に記載の画像形成装置。
【請求項４】
サーバ装置と画像形成装置とを具備する画像形成システムであって、
前記サーバ装置は、
ユーザの名前と、該ユーザの複数の部位のうちの何れかを特定する特定情報との組み合わせごとに、生体情報を対応付けた第１の情報を参照して、読取装置により読み取られた前記生体情報と一致する前記生体情報に対応付けられた前記ユーザの名前と前記特定情報との組み合わせを取得する第１の管理部と、
前記ユーザの名前と前記特定情報との組み合わせごとに、前記画像形成装置へのログイン時におけるオペレーションパネルの初期画面をどの操作画面に遷移させるかを示す遷移先情報を対応付けた第２の情報を参照して、前記第１の管理部により取得された前記ユーザの名前と前記特定情報との組み合わせに対応付けられた前記遷移先情報を取得する第２の管理部と、を有し、
前記画像形成装置は、取得した前記遷移先情報に基づいて、前記オペレーションパネルを制御する制御部を有する、
画像形成システム。
【請求項５】
コンピュータに、
ユーザの名前と、該ユーザの複数の部位のうちの何れかを特定する特定情報との組み合わせごとに、生体情報を対応付けた第１の情報を参照して、読取装置により読み取られた前記生体情報と一致する前記生体情報に対応付けられた前記ユーザの名前と前記特定情報との組み合わせを取得するステップと、
前記ユーザの名前と前記特定情報との組み合わせごとに、ログイン時におけるオペレーションパネルの初期画面をどの操作画面に遷移させるかを示す遷移先情報を対応付けた第２の情報を参照して、前記取得された前記ユーザの名前と前記特定情報との組み合わせに対応付けられた前記遷移先情報を取得するステップと、
前記取得された前記遷移先情報に基づいて、前記オペレーションパネルを制御するステップと、
を実行させるための画像形成システム制御プログラム。
【発明の詳細な説明】
【技術分野】
【０００１】
本発明は、画像形成装置、画像形成システム及び画像形成システム制御プログラムに関する。
【背景技術】
【０００２】
近年、コピー機、ネットワークプリンタ、スキャナ、ファックス、電子黒板、複合機またはＭＦＰ（Multifunction  Peripherals）に代表される画像形成装置が広く普及している。このような画像形成装置は、多機能化に伴って多数のユーザが共用するようになっており、例えば認証サーバと連携したユーザ指紋認証処理と外部アプリケーションと連携した処理が可能な装置やシステムが存在する。
【０００３】
例えば特許文献１には、過去にログインし使用履歴のあるユーザが再度ログインする際において、直近のログイン時に最終で利用した機能に関する操作画面に遷移し、初期画面とすることが可能なシステムが開示されている。
【発明の概要】
【発明が解決しようとする課題】
【０００４】
しかしながら、ユーザは、毎回のログイン時に、直近のログイン時に最終で利用した機能を利用するとは限らない。このため、毎回違う機能を利用する場合には、再度ログインした際に最後に利用した機能に関する操作画面に遷移する構成では、無駄な作業をオペレーションパネルで行う必要性が発生してしまい、かえって面倒になる。
【０００５】
本発明は、上記に鑑みてなされたものであって、画像形成装置を利用する際に、ユーザが利用を望む機能に関する操作画面の情報を適切に取り出し、自動的にその画面に遷移することが可能な画像形成装置、画像形成システム及び画像形成システム制御プログラムを提供することを目的とする。
【課題を解決するための手段】
【０００６】
上述した課題を解決し、目的と達成するために、本発明の実施形態に係る画像形成装置は、ユーザの名前と、該ユーザの複数の部位のうちの何れかを特定する特定情報との組み合わせごとに、生体情報を対応付けた第１の情報を参照して、読取装置により読み取られた前記生体情報と一致する前記生体情報に対応付けられた前記ユーザの名前と前記特定情報との組み合わせを取得する第１の管理部と、前記ユーザの名前と前記特定情報との組み合わせごとに、ログイン時におけるオペレーションパネルの初期画面をどの操作画面に遷移させるかを示す遷移先情報を対応付けた第２の情報を参照して、前記第１の管理部により取得された前記ユーザの名前と前記特定情報との組み合わせに対応付けられた前記遷移先情報を取得する第２の管理部と、前記第２の管理部により取得された前記遷移先情報に基づいて、前記オペレーションパネルを制御する制御部と、を具備する。
【発明の効果】
【０００７】
本発明によれば、画像形成装置を利用する際に、ユーザが利用を望む機能に関する操作画面の情報を適切に取り出し、自動的にその画面に遷移することが可能な画像形成装置、画像形成システム及び画像形成システム制御プログラムを提供することができる。
【図面の簡単な説明】
【０００８】
【図１】図１は、第１の実施形態に係る画像形成システム１及び画像形成装置９を示した図である。
【図２】図２は、サーバ装置５（ＰＣ）のハードウェア構成図である。
【図３】図３は、ＭＦＰのハードウェア構成図である。
【図４】図４は、サーバ装置５及び画像形成装置９の機能ブロック図である。
【図５】図５は、サーバ装置５の記憶部が記憶する、各ユーザと当該ユーザの生体情報とを対応付けたユーザ登録テーブルの一例を示した図である。
【図６】図６は、サーバ装置５の記憶部が記憶する、ユーザの各生体情報と遷移先情報とを対応付けた遷移先情報テーブルの一例を示した図である。
【図７】図７は、第１の実施形態に係る画像形成システム１が実行するログイン時のユーザ指紋認証処理、及び操作画面遷移処理を説明するためのシーケンス図である。
【図８】図８は、サーバ装置５の記憶部が記憶する、宛先情報を含む遷移先情報テーブルの一例を示した図である。
【図９】図９は、第２の実施形態に係る画像形成システム１が実行する処理を説明するためのシーケンス図である。
【発明を実施するための形態】
【０００９】
（第１の実施形態）
本発明の第１の実施形態に係る画像形成システム及び画像形成装置について説明する。図１は、第１の実施形態に係る画像形成システム１、サーバ装置５、画像形成装置９を示した図である。同図に示す様に、第１の実施形態に係る画像形成システム１は、サーバ装置５と、ネットワークＮを介してサーバ装置５と接続された複数の画像形成装置９とを具備している。
【００１０】
サーバ装置５は、ネットワークＮを介して、画像形成装置９と情報のやり取りを行う。特に、サーバ装置５は、画像形成装置９へのログイン時のユーザの生体情報を取得し、ユーザ指紋認証処理を行う。また、サーバ装置５は、操作画面遷移処理を実行する。この操作画面遷移処理は、ユーザ指紋認証処理の結果に基づいて、いずれかの画像形成装置９へのログイン後のオペレーションパネル９ｃの初期画面を、所望の操作画面に自動的に遷移させる処理である。この操作画面遷移処理については、後で詳しく説明する。
【００１１】
各画像形成装置９は、複写機、プリンタ、イメージスキャナ、ファクシミリ、電子黒板、ＭＦＰである。以下においては、説明を具体的にするため、各画像形成装置９がＭＦＰである場合を例とする。しかしながら、当該例に限定する趣旨ではなく、各画像形成装置９は、複写機、プリンタ、イメージスキャナ、ファクシミリ、電子黒板であってもよい。
【００１２】
各画像形成装置９は、サーバ装置５と連携したユーザ指紋認証処理と、外部アプリケーションと連携した処理とが可能である。例えば、各画像形成装置９は、再度ログイン時の初期画面として、ユーザが所望する機能に関する操作画面を表示することができる。当該機能については、後で詳しく説明する。
【００１３】
図２は、サーバ装置５（ＰＣ）のハードウェア構成図である。ここでは、サーバ装置５のハードウェア構成について説明する。
【００１４】
図２に示されているように、サーバ装置５は、コンピュータによって構築されており、図２に示されているように、ＣＰＵ５０１、ＲＯＭ５０２、ＲＡＭ５０３、ＨＤ５０４、ＨＤＤ(Hard  Disk  Drive)コントローラ５０５、ディスプレイ５０６、外部機器接続Ｉ／Ｆ(Interface)５０８、ネットワークＩ／Ｆ５０９、データバス５１０、キーボード５１１、ポインティングデバイス５１２、ＤＶＤ−ＲＷ(Digital  Versatile  Disk  Rewritable)ドライブ５１４、メディアＩ／Ｆ５１６を備えている。
【００１５】
これらのうち、ＣＰＵ５０１は、サーバ装置５全体の動作を制御する。ＲＯＭ５０２は、ＩＰＬ等のＣＰＵ５０１の駆動に用いられるプログラムを記憶する。特に、ＲＯＭ５０２は、ユーザ指紋認証処理及び操作画面遷移処理（共に後述）を実現するための専用プログラムを記憶する。ＲＡＭ５０３は、ＣＰＵ５０１のワークエリアとして使用される。ＨＤ５０４は、プログラム等の各種データを記憶する。ＨＤＤコントローラ５０５は、ＣＰＵ５０１の制御にしたがってＨＤ５０４に対する各種データの読み出し又は書き込みを制御する。ディスプレイ５０６は、カーソル、メニュー、ウィンドウ、文字、又は画像などの各種情報を表示する。外部機器接続Ｉ／Ｆ５０８は、各種の外部機器を接続するためのインターフェースである。この場合の外部機器は、例えば、ＵＳＢ(Universal  Serial  Bus)メモリやプリンタ等である。ネットワークＩ／Ｆ５０９は、通信ネットワーク１００を利用してデータ通信をするためのインターフェースである。バスライン５１０は、図２に示されているＣＰＵ５０１等の各構成要素を電気的に接続するためのアドレスバスやデータバス等である。
【００１６】
また、キーボード５１１は、文字、数値、各種指示などの入力のための複数のキーを備えた入力手段の一種である。ポインティングデバイス５１２は、各種指示の選択や実行、処理対象の選択、カーソルの移動などを行う入力手段の一種である。ＤＶＤ−ＲＷドライブ５１４は、着脱可能な記録媒体の一例としてのＤＶＤ−ＲＷ５１３に対する各種データの読み出し又は書き込みを制御する。なお、ＤＶＤ−ＲＷに限らず、ＤＶＤ−Ｒ等であってもよい。メディアＩ／Ｆ５１６は、フラッシュメモリ等の記録メディア５１５に対するデータの読み出し又は書き込み（記憶）を制御する。
【００１７】
図３は、画像形成装置９のハードウェア構成図である。図３に示されているように、画像形成装置９は、コントローラ９１０、近距離通信回路９２０、エンジン制御部９３０、操作パネル９４０、ネットワークＩ／Ｆ９５０を備えている。
【００１８】
これらのうち、コントローラ９１０は、コンピュータの主要部であるＣＰＵ９０１、システムメモリ（ＭＥＭ−Ｐ）９０２、ノースブリッジ（ＮＢ）９０３、サウスブリッジ（ＳＢ）９０４、ＡＳＩＣ(Application  Specific  Integrated  Circuit)９０６、記憶部であるローカルメモリ（ＭＥＭ−Ｃ）９０７、ＨＤＤコントローラ９０８、及び、記憶部であるＨＤ９０９を有し、ＮＢ９０３とＡＳＩＣ９０６との間をＡＧＰ(Accelerated  Graphics  Port)バス９２１で接続した構成となっている。
【００１９】
これらのうち、ＣＰＵ９０１は、画像形成装置９の全体制御を行う制御部である。ＮＢ９０３は、ＣＰＵ９０１と、ＭＥＭ−Ｐ９０２、ＳＢ９０４、及びＡＧＰバス９２１とを接続するためのブリッジであり、ＭＥＭ−Ｐ９０２に対する読み書きなどを制御するメモリコントローラと、ＰＣＩ(Peripheral  Component  Interconnect)マスタ及びＡＧＰターゲットとを有する。
【００２０】
ＭＥＭ−Ｐ９０２は、コントローラ９１０の各機能を実現させるプログラム（ＲＯＭ５０２は、ユーザ指紋認証処理及び操作画面遷移処理（共に後述）を実現するための専用プログラム）やデータの格納用メモリであるＲＯＭ９０２ａ、プログラムやデータの展開、及びメモリ印刷時の描画用メモリなどとして用いるＲＡＭ９０２ｂとからなる。なお、ＲＡＭ９０２ｂに記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供するように構成してもよい。
【００２１】
ＳＢ９０４は、ＮＢ９０３とＰＣＩデバイス、周辺デバイスとを接続するためのブリッジである。ＡＳＩＣ９０６は、画像処理用のハードウェア要素を有する画像処理用途向けのＩＣ(Integrated  Circuit)であり、ＡＧＰバス９２１、ＰＣＩバス９２２、ＨＤＤ９０８およびＭＥＭ−Ｃ９０７をそれぞれ接続するブリッジの役割を有する。このＡＳＩＣ９０６は、ＰＣＩターゲットおよびＡＧＰマスタ、ＡＳＩＣ９０６の中核をなすアービタ（ＡＲＢ）、ＭＥＭ−Ｃ９０７を制御するメモリコントローラ、ハードウェアロジックなどにより画像データの回転などを行う複数のＤＭＡＣ(Direct  Memory  Access  Controller)、並びに、スキャナ部９３１及びプリンタ部９３２との間でＰＣＩバス９２２を介したデータ転送を行うＰＣＩユニットとからなる。なお、ＡＳＩＣ９０６には、ＵＳＢ(Universal  Serial  Bus)のインターフェースや、ＩＥＥＥ１３９４(Institute  of  Electrical  and  Electronics  Engineers  1394）のインターフェースを接続するようにしてもよい。
【００２２】
ＭＥＭ−Ｃ９０７は、コピー用画像バッファ及び符号バッファとして用いるローカルメモリである。ＨＤ９０９は、画像データの蓄積、印刷時に用いるフォントデータの蓄積、フォームの蓄積を行うためのストレージである。ＨＤ９０９は、ＣＰＵ９０１の制御にしたがってＨＤ９０９に対するデータの読出又は書込を制御する。ＡＧＰバス９２１は、グラフィック処理を高速化するために提案されたグラフィックスアクセラレータカード用のバスインタフェースであり、ＭＥＭ−Ｐ９０２に高スループットで直接アクセスすることにより、グラフィックスアクセラレータカードを高速にすることができる。
【００２３】
また、近距離通信回路９２０には、近距離通信回路９２０ａが備わっている。近距離通信回路９２０は、ＮＦＣ、Ｂｌｕｅｔｏｏｔｈ（登録商標）等の通信回路である。更に、エンジン制御部９３０は、スキャナ部９３１及びプリンタ部９３２によって構成されている。また、操作パネル９４０は、現在の設定値や選択画面等を表示させ、操作者からの入力を受け付けるタッチパネル等のパネル表示部９４０ａ、並びに、濃度の設定条件などの画像形成に関する条件の設定値を受け付けるテンキー及びコピー開始指示を受け付けるスタートキー等からなる操作部９４０ｂ、翳された指紋を読み取る指紋読み取り装置９ｃを備えている。コントローラ９１０は、画像形成装置９全体の制御を行い、例えば、描画、通信、操作パネル９４０からの入力等を制御する。スキャナ部９３１又はプリンタ部９３２には、誤差拡散やガンマ変換などの画像処理部分が含まれている。
【００２４】
なお、画像形成装置９は、操作パネル９４０のアプリケーション切り替えキーにより、ドキュメントボックス機能、コピー機能、プリント機能、ファックス機能、メール配信機能を順次に切り替えて選択することが可能となる。ドキュメントボックス機能の選択時にはドキュメントボックスモードとなり、コピー機能の選択時にはコピーモードとなり、プリント機能の選択時にはプリンタモードとなり、ファックス機能の選択時にはファックスモードとなり、メール配信機能の選択時には配信モードとなる。
【００２５】
また、ネットワークＩ／Ｆ９５０は、通信ネットワーク１００を利用してデータ通信をするためのインターフェースである。近距離通信回路９２０及びネットワークＩ／Ｆ９５０は、ＰＣＩバス９２２を介して、ＡＳＩＣ９０６に電気的に接続されている。
【００２６】
図４は、サーバ装置５及び画像形成装置９の機能ブロック図である。同図に従って、サーバ装置５及び画像形成装置９のそれぞれが有する各機能について説明する。
【００２７】
画像形成装置９は、指紋読み取り部９ａ、制御部９ｂ、入力部（オペレーションパネル）９ｃ、プリント処理部９ｄ、コピー処理部９ｅ、配信処理部９ｆ、ファックス処理部９ｇ、認証処理部９ｈを具備している。なお、プリント処理部９ｄ、コピー処理部９ｅ、配信処理部９ｆ、ファックス処理部９ｇ、認証処理部９ｈは、画像形成装置９を用いたソリューション機能を提供するために必要なアプリケーション群（アプリ群）を形成する。
【００２８】
指紋読み取り部９ａは、翳された又は押し当てられたユーザのいずれかの指紋パターンを読み取って、その情報を制御部９ｂに送り出す。この指紋読み取り部９ａは、図３に示した指紋読み取り装置９４０ｃによって実現される。
【００２９】
制御部９ｂは、画像形成装置９の統括的な制御を行うと共に、取得した遷移先情報に基づいて、オペレーションパネル９ｃを制御する。具体的には、制御部９ｂは、オペレーションパネル９ｃを制御して、ログイン時の初期画面を特定の機能に関する操作画面に遷移させる。
【００３０】
ここで、遷移先情報とは、ユーザが画像形成装置９にログインした際、オペレーションパネル９ｃに当該画像形成装置９のどの機能に関する操作画面を初期画面として表示するのかを示す情報である。すなわち、ログインした際に、オペレーションパネル９ｃ初期画面を通常において用いる初期画面からどの操作画面に遷移させるかを示す情報である。
【００３１】
また、制御部９ｂは、認証処理部９ｈに対して指紋認証要求等を送信する。制御部９ｂは、指紋情報管理部５ａによってユーザ認証されたユーザの名前（ユーザ名、ユーザＩＤ）、ユーザ認証に用いた指がどの指であるかを示す指情報を含み、遷移先情報を要求する取得要求を、サーバ装置５に対して送信する。なお、制御部９ｂは、ＣＰＵ９０１がＲＯＭ９０２ａに格納された専用プログラムをＲＡＭ９０２ｂ上で実行することにより実現される。しかしながら、当該例に限定されず、制御部９ｂの一部又は全部を、同様の各機能を実行するように設計された専用のハードウェア、例えばＡＳＩＣ（Application  Specific  Integrated  Circuit）、ＤＳＰ（digital  signal  processor）、ＦＰＧＡ（field  programmable  gate  array）等の半導体集積回路や従来の回路モジュール等によって実現するようにしてもよい。
【００３２】
入力部９ｃは、ユーザへ向けて様々な情報を表示させるオペレーションパネルであり、図３に示した操作パネル９４０によって実現される。
【００３３】
プリント処理部９ｄは、画像形成装置９がプリンタとして機能する際の処理を実行する。プリント処理部９ｄは、例えば、ＣＰＵ９０１がＲＯＭ５０２に格納されたプリンタアプリケーションソフトウェアプログラムをＲＡＭ５０３上で展開することで実現される。
【００３４】
コピー処理部９ｅは、画像形成装置９がコピー機として機能する際の処理を実行する。コピー処理部９ｅは、例えば、ＣＰＵ９０１がＲＯＭ５０２に格納されたコピーアプリケーションソフトウェアプログラムをＲＡＭ５０３上で展開することで実現される。
【００３５】
配信処理部９ｆは、画像形成装置９がメール配信装置として機能する際の処理を実行する。配信処理部９ｆは、例えば、ＣＰＵ９０１がＲＯＭ５０２に格納されたメール配信アプリケーションソフトウェアプログラムをＲＡＭ５０３上で展開することで実現される。
【００３６】
ファックス処理部９ｇは、画像形成装置９がファックスとして機能する際の処理を実行する。ファックス処理部９ｇは、例えば、ＣＰＵ９０１がＲＯＭ５０２に格納されたファックスアプリケーションソフトウェアプログラムをＲＡＭ５０３上で展開することで実現される。
【００３７】
認証処理部９ｈは、指紋認証処理要求と、指紋読み取り部９ａによって読み取られた指紋パターンとを、サーバ装置５の指紋情報管理部５ａに送り出す。認証処理部９ｈは、例えば、制御部９ｂがＲＯＭ５０２に格納された認証処理アプリケーションソフトウェアプログラムをＲＡＭ５０３上で展開することで実現される。
【００３８】
サーバ装置５は、指紋情報管理部（第１の管理部）５ａ、記憶部５ｂ、遷移先情報管理部（第２の管理部）５ｃを具備する。なお、指紋情報管理部５ａ、遷移先情報管理部５ｃは、ＣＰＵ５０１がＲＯＭ５０２に格納された専用プログラムをＲＡＭ５０３上で実行することにより実現される。しかしながら、当該例に限定されず、制御部９ｂの一部又は全部を、同様の各機能を実行するように設計された専用のハードウェア、例えばＡＳＩＣ（Application  Specific  Integrated  Circuit）、ＤＳＰ（digital  signal  processor）、ＦＰＧＡ（field  programmable  gate  array）等の半導体集積回路や従来の回路モジュール等によって実現するようにしてもよい。
【００３９】
指紋情報管理部５ａは、ユーザの名前と、該ユーザの複数の部位のうちの何れかを特定する特定情報との組み合わせごとに、生体情報を対応付けた第１の情報を参照して、読取装置により読み取られた生体情報と一致する生体情報に対応付けられたユーザの名前と特定情報との組み合わせを取得する。すなわち、指紋情報管理部５ａは、第１のテーブル（第１の情報）としての指紋情報テーブルを参照して、指紋読み取り部９ａによって読み取られた手の指紋パターン（生体情報）に関する認証を実行する。
【００４０】
図５は、指紋情報テーブルの一例を示した図である。同図に示す様に、指紋情報テーブルは、ユーザの名前とユーザについて予め登録された生体情報（今の場合、指紋パターン）との関係毎に、予め登録された指紋パターンがユーザのどの部位に対応するかを特定する特定情報（右手人さし指、右手中指、といったどの手の指かを示す各ユーザの指情報）を関連付けたテーブルである。
【００４１】
なお、本指紋情報テーブルによって管理される情報は、本画像形成装置９にログイン権限を有するユーザ毎に、管理者または各ユーザ自らによって予め登録される。登録は、サーバ装置５から管理者が別途実行してもよいし、各ユーザが画像形成装置９上で実行することも可能である。
【００４２】
指紋情報管理部５ａは、読み取られた指紋パターンが認証された場合、つまり、読み取られた指紋パターンが、指紋情報テーブルに登録された複数の指紋パターンの何れかと一致した場合、該読み取られた指紋パターンと一致する指紋パターンに対応付けられたユーザの名前と指情報との組み合わせを取得する。
【００４３】
より具体的には、認証処理部９ｈは、指紋情報テーブルに事前登録された指紋パターンと、認証処理部９ｈから送られてくる（ログインをしようとしている）ユーザの指紋パターンとがマッチングするか否かに基づいて、指紋情報テーブルに登録されたユーザであるか否か（ログインを許可するユーザか否か）を判定する（ユーザ指紋認証処理）。また、指紋情報管理部５ａは、ユーザ指紋認証処理において読み取られた指紋パターンが認証された場合には、ユーザの名前と、読み取られた指紋パターンが当該ユーザのどちらの手のどの指についてのものかを示す特定情報とを取得し、画像形成装置９の制御部９ｂに送信する。
【００４４】
遷移先情報管理部５ｃは、ユーザの名前と特定情報との組み合わせごとに、ログイン時におけるオペレーションパネルの初期画面をどの操作画面に遷移させるかを示す遷移先情報を対応付けた第２の情報を参照して、指紋情報管理部５ａ（第１の管理部）により取得されたユーザの名前と特定情報との組み合わせに対応付けられた遷移先情報を取得する。すなわち、遷移先情報管理部５ｃは、第２のテーブル（第２の情報）としての遷移先情報テーブルを参照して、取得したユーザの名前及び取得した特定情報に基づいて、遷移先情報を取得する。
【００４５】
図６は、遷移先情報テーブルの一例を示す図である。同図に示す様に、遷移先情報テーブルは、ユーザの名前と指情報（特定情報）の組み合わせ毎に、ログイン時におけるオペレーションパネルの初期画面をどの操作画面に遷移させるかを示す遷移先情報を関連付けたテーブルである。
【００４６】
遷移先情報テーブルによって管理される情報についても、本画像形成装置９にログイン権限を有するユーザ毎に、管理者または各ユーザ自らによって予め登録される。登録は、サーバ装置５から管理者が別途実行してもよいし、各ユーザが画像形成装置９上で実行することも可能である。なお、遷移先情報テーブルには、各遷移先情報がいつ当該テーブルに登録されたかを示す登録日時も管理されている。ユーザは、遷移先情報テーブルにおいて管理されている登録日時を参照することで、遷移先情報がいつ登録されたものであるのかを把握することができる。
【００４７】
遷移先情報管理部５ｃは、指紋情報管理部５ａによって取得されたユーザ名と指情報が遷移先情報テーブルに登録されたユーザの名前と指情報との組み合わせの何れかと一致した場合、該一致した組み合わせに対応づけられた遷移先情報を取得する。より具体的には、遷移先情報管理部５ｃは、指紋情報管理部５ａによってユーザ認証されたユーザの名前（ユーザ名、ユーザＩＤ）、ユーザ認証に用いた指がどの指であるかを示す指情報を含み、遷移先情報を要求する取得要求を、を画像形成装置９の制御部９ｂより受け付ける。また、遷移先情報管理部５ｃは、記憶部５ｂに記憶された遷移先情報テーブルを参照して、指紋情報管理部５ａによって取得されたユーザ名と指情報が遷移先情報テーブルに登録されたユーザの名前と指情報との組み合わせの何れかと一致するか否かを判定する。遷移先情報管理部５ｃは、一致する組み合わせがあると判定された場合には、該一致した組み合わせに対応づけられた遷移先情報を取得し、画像形成装置９の制御部９ｂに送信する。
【００４８】
記憶部５ｂは、指紋情報テーブル、遷移先情報テーブルを記憶する。
【００４９】
図７は、第１の実施形態に係る画像形成システム１が実行するログイン時のユーザ指紋認証処理、及びユーザ指紋認証処理の結果に基づきログイン後のオペレーションパネル９ｃの初期画面を所望の操作画面に自動的に遷移させる処理（操作画面遷移処理）を説明するためのシーケンス図である。
【００５０】
同図に示す様に、まず、ユーザが指紋読み取り部９ａに左右の手のいずれかの指を翳すと（ステップＳ１ａ）、指紋読み取り部９ａは、翳された指紋パターンを読み取り、読み取った指紋パターンと指紋認証要求があった旨を制御部９ｂに送信する（ステップＳ２ａ）。
【００５１】
制御部９ｂは、ユーザ指紋認証処理中であることがわかるような画面を表示するようにオペレーションパネル９ｃを制御する（ステップＳ３ａ）。また、制御部９ｂは、読み取った指紋パターンと指紋認証要求を認証処理部９ｈに送信する（ステップＳ４ａ）。
【００５２】
認証処理部９ｈは、指紋情報管理部５ａに受け取った指紋パターンを渡すと共に、ユーザ指紋認証要求（どのユーザのどの指紋なのかを判定する要求）を出す（ステップＳ５ａ）。
【００５３】
指紋情報管理部５ａは、指紋情報テーブルを参照し受け取った指紋パターンと一致するものがあるかどうかを検索する（ステップＳ６ａ）。この検索により類似の指紋を見つけた場合には、指紋情報管理部５ａはユーザ指紋認証ＯＫと判定し、そのユーザと指情報とを検索結果として認証処理部９ｈに送信する（ステップＳ７ａ）。一方、仮にステップＳ６ａにおいて指紋情報テーブルを参照し類似の指紋を検索して見つけられない場合には、指紋情報管理部５ａは、ステップＳ７ａにおいて当該指紋パターンに該当するユーザは見つからなかった旨のエラー情報を認証処理部９ｈに送信する。
【００５４】
なお、指紋情報管理部５ａが実行するユーザ指紋認証の判定ロジックについては、上記例に限定する趣旨ではない。例えば、指紋パターンの類似度が低い場合には、指紋情報管理部５ａは、その旨のエラーを認証処理部９ｈに送信するようにしてもよい。
【００５５】
認証処理部９ｈは、指紋情報管理部５ａから受け取った判定結果（すなわち、ユーザ指紋認証の結果がＯＫの場合には、その旨、当該ユーザ名、当該指情報。ユーザ指紋認証の結果がエラーの場合には、エラー情報）を、制御部９ｂに送信する（ステップＳ８ａ）。
【００５６】
制御部９ｂは、ユーザ指紋認証の結果がＯＫである場合には、当該ユーザ名、当該指情報を含み、遷移先情報を要求する取得要求を、遷移先情報管理部５ｃに送信する（ステップＳ９ａ）。
【００５７】
遷移先情報管理部５ｃは、遷移先情報テーブルを参照し、当該ユーザ名、当該指情報に対応づけられた遷移先情報を検索する（ステップＳ１０ａ）。遷移先情報管理部５ｃは、検索によって取得された遷移先情報を制御部９ｂに送信する（ステップＳ１１ａ）。
【００５８】
制御部９ｂは、ログインできたことをユーザに通知する画面を表示するようにオペレーションパネル９ｃを制御する（ステップＳ１２ａ）。オペレーションパネル９ｃは、所定の表示によりユーザに対しログインできたことを通知する（ステップＳ１３ａ）。
【００５９】
また、制御部９ｂは、ログイン時のオペレーションパネル９ｃにおける初期画面として、遷移先情報に従う操作画面（遷移画面）を表示するように、オペレーションパネル９ｃを制御する（ステップＳ１４ａ）。例えば、ステップＳ１４ａにおいて、オペレーションパネル９ｃは、遷移先情報に従って、遷移画面としてコピー機能の操作画面を表示したとする。
【００６０】
ユーザは、表示された操作画面を用いてコピー利用に関する操作を行う（ステップＳ１５ａ）。
【００６１】
制御部９ｂは、コピー処理を実行するようにコピー処理部９ｅを制御する（ステップＳ１６ａ）。制御部９ｂは、コピー処理が完了した場合には、ユーザにコピー処理の完了通知を出力する（ステップＳ１７ａ）。
【００６２】
（効果）
以上述べた本実施形態に係る画像形成システム１によれば、指紋情報管理部５ａは、ユーザの名前と、該ユーザの複数の指（部位）のうちの何れかを特定する指情報（特定情報）との組み合わせごとに、指紋パターン（生体情報）を対応付けた第１のテーブル（第１の情報）を参照して、読取装置により読み取られた指紋パターンと一致する指紋パターンに対応付けられたユーザの名前と指情報との組み合わせを取得する。遷移先情報管理部５ｃは、ユーザの名前と指情報との組み合わせごとに、ログイン時におけるオペレーションパネル９ｃの初期画面をどの操作画面に遷移させるかを示す遷移先情報を対応付けた第２のテーブル（第２の情報）を参照して、指紋情報管理部５ａにより取得されたユーザの名前と指情報との組み合わせに対応付けられた遷移先情報を取得する。制御部９ｂは、取得した遷移先情報に基づいてオペレーションパネル９ｃを制御する。
【００６３】
従って、各ユーザが複数の指紋の登録と、それぞれの指を読み取らせた場合のログイン時の初期画面として遷移する画面を遷移先情報としてあらかじめ指定しておくことで、ユーザが画像形成装置９のログイン時に読み取らせた指紋パターンに紐づいた遷移先情報を取り出し、ユーザ指紋認証されたときに、遷移先情報に従ってオペレーションパネル９ｃの初期画面を特定の機能に関連する操作画面として表示することができる。
【００６４】
ユーザは、ログイン時に際して、自身がこれから使用しようとする機能に関連する遷移先情報と紐付けられた自身の指を用いてユーザ指紋認証をすることで、目的の操作画面に最短で辿り着くことができる。その結果、当該ユーザは、ログイン後すぐに、遷移画面としてオペレーションパネル９ｃ表示されたコピー機能の操作画面から、所望の操作を実行することができる。
【００６５】
（第２の実施形態）
次に、本発明の第２の実施形態係る画像形成システム１及び画像形成装置９について説明する。本実施形態に係る画像形成システム１及び画像形成装置９は、ログインの際において、操作画面遷移機能に加えてデータ送信の宛先も自動設定する機能を具備するものである。
【００６６】
遷移先情報管理部５ｃは、ユーザの名前と特定情報の組み合わせ毎に、遷移先情報とデータ配信の宛先情報とを関連付けた第３のテーブル（第３の情報）を参照して、取得したユーザの名前及び取得した指情報に基づいて、遷移先情報及びデータ配信の宛先情報を取得する。
【００６７】
本実施形態に係る記憶部５ｂは、宛先情報を含む遷移先情報テーブルを記憶する。
【００６８】
図８は、ユーザの名前と特定情報との組み合わせ毎に、遷移先情報とデータ配信の宛先情報とを関連付けた第３のテーブルとしての宛先情報を含む遷移先情報テーブルの一例を示した図である。同図に示す様に、宛先情報を含む遷移先情報テーブルは、ユーザ名と、ユーザの指情報と、遷移先情報、登録された日時に加えて（図６に示した遷移先情報テーブルの情報に加えて）、宛先情報が追加されている。従って、当該宛先情報を含む遷移先情報テーブルを参照すれば、ユーザ名、指情報から、遷移先情報と併せて宛先情報を取得することができる。
【００６９】
なお、宛先情報を含む遷移先情報テーブルによって管理される情報についても、図５に示した指紋情報テーブル、図６に示した遷移先情報テーブルと同じく、本画像形成装置９にログイン権限を有するユーザ毎に、管理者または各ユーザ自らによって予め登録される。登録は、サーバ装置５から管理者が別途実行してもよいし、各ユーザが画像形成装置９上で実行することも可能である。
【００７０】
本実施形態に係る画像形成システム１の制御部は、取得した遷移先情報と、取得した宛先情報とに基づいて、オペレーションパネル９ｃを制御する。
【００７１】
図９は、第１の実施形態に係る画像形成システム１が実行する処理を説明するためのシーケンス図である。同図においてステップＳ１ｂ〜ステップＳ８ｂについては、図７に示したステップＳ１ａ〜ステップＳ８ａの各処理と同じ内容であるため、説明は割愛する。
【００７２】
制御部９ｂは、ユーザ指紋認証ＯＫと判定した場合は、当該ユーザ名、当該指情報を含み、遷移先情報を要求する取得要求を、遷移先情報管理部５ｃに依頼する（ステップＳ９ｂ）。
【００７３】
遷移先情報管理部５ｃは、宛先情報を含む遷移先情報テーブルを参照して、当該ユーザ名、当該指情報に対応づけられた遷移先情報及び宛先情報を検索する（ステップＳ１０ｂ）。遷移先情報管理部５ｃは、検索によって取得された遷移先情報及び宛先情報を、制御部９ｂに送信する（ステップＳ１１ｂ）。
【００７４】
制御部９ｂは、ログインできたことをユーザに通知する画面を表示するようにオペレーションパネル９ｃを制御する（ステップＳ１２ｂ）。オペレーションパネル９ｃは、所定の画面にてユーザに対しログインできたことを通知する（ステップＳ１３ｂ）。
【００７５】
また、制御部９ｂは、ログイン時の初期画面として遷移先情報に従う操作画面（遷移画面）を表示するように、オペレーションパネル９ｃを制御する（ステップＳ１４ｂ）。例えば、ステップＳ１４ａにおいて、オペレーションパネル９ｃは、遷移画面としてメール配信機能の操作画面を表示したとする。ユーザはログイン後すぐに、その表示された画面からメール配信機能に関する操作することが可能となる。
【００７６】
制御部９ｂは、遷移先情報に従うメール配信機能の操作画面の制御に加えて、当該メール配信機能の操作画面内の宛先に、取得した宛先情報をセットする（ステップＳ１５ｂ）。
【００７７】
ユーザは表示された操作画面を用いてメール配信利用に関する操作を行う（ステップＳ１６ｂ）。
【００７８】
制御部９ｂは、原稿読み取り部にセットされた画像原稿をスキャンするスキャン動作を実行し（ステップＳ１７ｂ）、スキャンした画像をステップＳ１５ｂにおいてセットされた宛先へ自動的に配信するように配信処理部９ｆを制御する（ステップＳ１８ｂ）。制御部９ｂは、メール配信処理が完了した場合には、ユーザにメール配信処理の完了通知を出力する（ステップＳ１９ｂ）。
【００７９】
（効果）
以上述べた本実施形態によれば、遷移先情報管理部５ｃは、ユーザの名前と指情報との組み合わせ毎に、遷移先情報とデータ配信の宛先情報とを関連付けた第３のテーブル（第３の情報）を参照して、取得したユーザの名前及び取得した指情報に基づいて、遷移先情報及びデータ配信の宛先情報を取得する。制御部９ｂは、取得した遷移先情報と、取得した宛先情報とに基づいて、オペレーションパネル９ｃを制御する。
【００８０】
従って、ユーザはログイン後すぐに、その表示された画面から操作することが可能となり、かつ宛先情報がデフォルトで設定されているため、例えばメール配信操作を行った場合には、スキャン動作後に指定されている配信先へスキャンした画像を配信することができる。
【００８１】
（変形例１）
第１及び第２の実施形態においては、ユーザ指紋認証処理等を実行するサーバ装置５と、画像形成装置９とを別体とした例について説明した。しかしながら、当該例に限定されず、例えば画像形成装置９がサーバ装置５としての機能を内蔵する構成としてもよい。係る場合、各画像形成装置９は、単独で各実施形態において説明したユーザ指紋認証処理及び操作画面遷移処理を実行することが可能となる。
【００８２】
（変形例２）
第１の実施形態においては、指紋情報テーブルを第１のテーブルとし、遷移先情報デーブルを第２のテーブルとして、別のテーブルとして説明した。また、第２の実施形態においては、指紋情報テーブルを第１のテーブルとし、宛先情報を含む遷移先情報デーブルを第３のテーブルとして、別のテーブルとして説明した。
【００８３】
しかしながら、当該例に限定されず、第１の実施形態において、指紋情報テーブルと遷移先情報デーブルとをまとめた一つの第４のテーブル（第４の情報）とし、指紋情報管理部５ａ、遷移先情報管理部５ｃがこの第４のテーブルをそれぞれ参照するようにしてもよい。同じく、第２の実施形態において、指紋情報テーブルと宛先情報を含む遷移先情報デーブルとをまとめた一つの第５のテーブルとし、指紋情報管理部５ａ、遷移先情報管理部５ｃがこの第５のテーブルをそれぞれ参照するようにしてもよい。
【００８４】
（変形例３）
なお、上記各実施形態においては、複数の画像形成装置９を具備する画像形成システム１を例示した。しかしながら、当該例に限定されず、一台の画像形成装置９を具備する画像形成システムであってもよい。
【００８５】
（変形例４）
本実施形態においては、説明を具体的にするため、ユーザの認証に用いる生体情報として、手の各指紋を用いるものとする。しかしながら、生体情報を指紋とする実施形態に限定する趣旨ではなく、足の複数の指の少なくともいずれのかの指紋、左右の手のひらの血管走行、左右の耳紋、左右の眼球等の生体情報であってもよい。これらの場合、特定情報は、それぞれ、ユーザの足の複数の指のうちの何れかを特定する情報、左右の手のひらの何れかを特定する情報、左右の耳の何れかを特定する情報、左右の眼球の何れかを特定する情報となる。
【００８６】
上述した画像形成システム１、画像形成装置９１が有する機能を実現するためのプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等の不揮発性の記録媒体に予め組み込んで提供するように構成してもよい。
【符号の説明】
【００８７】
１  画像形成システム
５  サーバ装置
５ａ  指紋情報管理部
５ｂ  記憶部
５ｃ  遷移先情報管理部
９  画像形成装置
９ａ  指紋読み取り部
９ｂ  制御部
９ｃ  入力部（オペレーションパネル）
９ｄ  プリント処理部
９ｅ  コピー処理部
９ｆ  配信処理部
９ｇ  ファックス処理部
９ｈ  認証処理部
５０１  ＣＰＵ
５０２  ＲＯＭ
５０３  ＲＡＭ
５０４  ＨＤ
５０６  ディスプレイ
５０８  外部機器接続Ｉ／Ｆ
５０９  ネットワークＩ／Ｆ
５１０  バス
５１１  キーボード
５１２  ポインティングデバイス
５１４  ＤＶＤ−ＲＷドライブ
５１５  ＳＤカード
５１６  メディアＩ／Ｆ
９０１  ＣＰＵ
９０２  ＭＥＭ−Ｐ
９０２ａ  ＲＯＭ
９０２ｂ  ＲＡＭ
９０３  ＮＢ
９０４  ＳＢ
９０６  ＡＳＩＣ
９０７  ＭＥＭ−Ｃ
９０８  ＨＤＤコントローラ
９０９  ＨＤ
９２０  近距離通信回路
９３１  スキャナ部
９３２  プリンタ部
９４０ａ  パネル表示部
９４０ｂ  操作部
９４０ｃ  指紋読み取り装置
９５０  ネットワークＩ／Ｆ
【先行技術文献】
【特許文献】
【００８８】
【特許文献１】特開２０１１−０１４９６６号公報
【図１】
2020205503.tif 000003
【図２】
2020205503.tif 000004
【図３】
2020205503.tif 000005
【図４】
2020205503.tif 000006
【図５】
2020205503.tif 000007
【図６】
2020205503.tif 000008
【図７】
2020205503.tif 000009
【図８】
2020205503.tif 000010
【図９】
2020205503.tif 000011